(57)【要約】【課題】  本発明は、フォークリフトに着脱自在とした空コンテナ吊上げ金具により空コンテナの移動および２段重ねを可能とするフォークリフト用空コンテナのコンテナスプレッダー装置を提供することを目的とするものである。【解決手段】  コンテナスプレッダー装置１は、コンテナ（図示せず）の上部４隅部と合致するように角パイプ鋼材により枠組されたベース枠体部１と、このベース枠体部１の４隅部にそれぞれ設けられる係合金具２と、この係合金具２をコンテナの上部４隅部に設けられる係合穴部（図示せず）へと確実に導くための芯出し用ガイド部３と、係合金具２を回転させてコンテナの係合穴部との係合、またはその解除を同時に行う操作ガイド手段Ａとから構成されるものである。【選択図】        図１
2005162338.tif 000002
【特許請求の範囲】
【請求項１】
コンテナの上部の４隅部に設けられる係合穴部との係合手段により吊上げ可能とされるコンテナスプレッダー装置において、
該コンテナ上部の４隅部に合致する位置に、コンテナの係合穴部に嵌入し係合される係合金具がそれぞれ設けられるベース枠体部と、
該ベース枠体部に対して平面状に挿入されるフォークリフト爪挿入部を備える
ことを特徴とするフォークリフト用空コンテナのコンテナスプレッダー装置。
【請求項２】
前記ベース枠体部に、係合金具によるコンテナの係合穴部との連結またはその解除を自在とする操作ガイド手段を設ける
ことを特徴とする請求項１記載のフォークリフト用空コンテナのコンテナスプレッダー装置。
【請求項３】
前記ベース枠体部の４隅部に、芯出し用ガイド部を設ける
ことを特徴とする請求項１または２記載のフォークリフト用空コンテナのコンテナスプレッダー装置。
【発明の詳細な説明】
【技術分野】
【０００１】
本発明は、フォークリフト用空コンテナのコンテナスプレッダー装置に関する。詳しくは搬送後の空コンテナをフォークリフトによって二段重ね積載するためのフォークリフト用空コンテナのコンテナスプレッダー装置に係るものである。
【背景技術】
【０００２】
従来、コンテナ船の荷役作業では、一般的にコンテナスプレッダー装置が使用されている。このコンテナスプレッダー装置は図９に示すように、クレーン等の揚重機のフック１０１に引っ掛けられた４本のロープによる吊り具１０２を備えたコンテナスプレッダー装置１０３の４隅部とコンテナ１０４の４隅部とを緊締手段によって緊締又は解除してコンテナ１０４の荷役作業を行っている。
【０００３】
しかし前記構成のコンテナスプレッダー装置１０３による荷役作業では、このコンテナスプレッダー装置１０３の４隅部をコンテナ１０４の４隅部に合わせるには非常の精度の高い揚重機操作と、誘導するための合図者が必要となり非常に煩雑な作業となっている。
【０００４】
そこでコンテナの荷役作業を容易に行なえるコンテナスプレッダー装置用芯出し架台として図１０に示すように、揚重機に吊り下げられたコンテナスプレッダー装置１０３を、搬送しようとするコンテナ１０４に位置決めするための芯出し架台であって、コンテナ１０４を所定位置に搭載する平面視して実質的に長方形の架台ベース部１０５と、架台ベース部１０５の隣り合う２辺に垂直方向に立設され、コンテナスプレッダー装置１０３を当接してコンテナ１０４に位置決めする第１、第２の当接部１０６、１０７を有する（例えば、特許文献１参照）。
【０００５】
【特許文献１】特開２００１−９７６６１号公報（要約書、第１図）
【発明の開示】
【発明が解決しようとする課題】
【０００６】
しかしながら前記構成のコンテナスプレッダー装置用芯出し架台では、船等にコンテナを積荷する場合には、フォークリフトを使用して芯出し架台を搬送し、船側に配置し、更にフォークリフトを使用してコンテナを芯出し架台の架台ベース部上に位置決めして搭載しなければならない。
【０００７】
また、船等よりコンテナを降ろす場合には、クレーン等によりコンテナを地面上に降ろした後に、フォークリフトを使用してコンテナを芯出し架台の架台ベース部上より取り外して搬送した後に、残置した芯出し架台をフォークリフトによって所定場所に集めなければならない。
【０００８】
このように芯出し架台によるコンテナの積み降ろし作業では、通常より作業工程が増加することになり作業効率が非常に悪くなる問題がある。また、積荷するコンテナの数量分の芯出し架台の在庫を常備しなければならず、コスト高となる問題がある。
【０００９】
一方、搬送された後の空コンテナは搬送先や港湾等の敷地に四散された状態で放置される。これは船積み専用のコンテナには貨物専用のコンテナと異なりフォークリフトの爪挿入穴が設けられていないために、空コンテナの移動および２段重ねなどによる整理を行うことができず、移動式のクレーン車などを使用する場合には非常なコスト高となる問題がある。
【００１０】
本発明は、以上の点に鑑みて創案されたものであって、フォークリフトに着脱自在とした空コンテナ吊上げ金具により空コンテナの移動および２段重ねを可能とするフォークリフト用空コンテナのコンテナスプレッダー装置を提供することを目的とするものである。
【課題を解決するための手段】
【００１１】
上記の目的を達成するために、本発明に係るフォークリフト用空コンテナのコンテナスプレッダー装置は、コンテナの上部の４隅部に設けられる係合穴部との係合手段により吊上げ可能とされるコンテナスプレッダー装置において、該コンテナ上部の４隅部に合致する位置に、コンテナの係合穴部に嵌入し係合される係合金具がそれぞれ設けられるベース枠体部と、該ベース枠体部に対して平面状に挿入されるフォークリフト爪挿入部を備える。
【００１２】
ここで、ベース枠体部に設けられるフォークリフト爪挿入部内にフォークリフトの爪を挿入し、搬送後の空コンテナの上部４隅部に対してベース枠体部の４隅部を合致させてコンテナの係合穴部とベース枠体部の係合金具とを係合連結させて吊上げ、所定の位置まで移動すると共に空コンテナの２段積みを容易に行なえる構成とするものである。
【００１３】
また、ベース枠体部の係合金具によるコンテナの係合穴部への係合またはその解除は、ベース枠体部に操作ガイド手段を設けることによって自在に行える構成とするものであり、この操作ガイド手段は、ベース枠体部より垂らした紐による操作によって４隅部の係合金具の動作を一元的に行なえる機構とするものである。
【００１４】
また、ベース枠体部の４隅部には、四方に向けて末広がり形状とした芯出し用ガイド部を設けることによって、フォークリフトにより吊上げられたベース枠体部の４隅部を空コンテナの上部４隅部に合致させる場合に、多少ズレル場合であっても芯出し用ガイド部によって確実に合致させることが可能となる。
【発明の効果】
【００１５】
以上の構成よりなる本発明では、ベース枠体部のフォークリフト爪挿入部内にフォークリフトの爪を差し込むことによってコンテナスプレッダー装置を容易に取り付けることが可能となる。そして搬送後の空コンテナをフォークリフトによって吊上げ、所定の位置までの移動や空コンテナの２段重ねがフォークリフトによって容易に行なえることとなる。
【００１６】
また、コンテナとベース枠体部との係合連結またはその解除が操作ガイド手段によって一元的に行なえると共に、芯出し用ガイド部によって空コンテナの上部４隅部との合致が容易に行なえることとなり作業効率の向上を奏するものである。
【発明を実施するための最良の形態】
【００１７】
以下、本発明の実施の形態を図面を参酌しながら説明し、本発明の理解に供する。
図１に、本発明を適用したフォークリフト用空コンテナのコンテナスプレッダー装置の一例を説明するための正面図、図２に、図１における平面図、図３に、図１における側面図を示す。
【００１８】
ここで示すコンテナスプレッダー装置は、コンテナ（図示せず）の上部４隅部と合致するように角パイプ鋼材により枠組されたベース枠体部１と、このベース枠体部１の４隅部にそれぞれ設けられる係合金具２と、この係合金具２をコンテナの上部４隅部に設けられる係合穴部（図示せず）へと確実に導くための芯出し用ガイド部３と、係合金具２を回転させてコンテナの係合穴部との係合、またはその解除を同時に行う操作ガイド手段Ａとから構成されるものである。
【００１９】
そこでベース枠体部１は、角パイプ鋼材により四辺形状に枠組みされ、その長辺の中央部分にフォークリフトの爪（図示せず）幅に応じた爪挿入管部５が渡設される。そしてベース枠体部１内には断面Ｌ字鋼部材による補強材６および補強支柱７が設けられるものである。
【００２０】
そこでベース枠体部１のそれぞれのコーナーには係合金具２が下方に向けて鉛直状に突設されるものであり、この係合金具２は図４に示すように、回転軸８の先端に半円形板状とした係合部９が形成され、回転軸８はベース枠体部１のコーナーに貫通された状態で左右回転自在な状態で設置されるものである。従ってコンテナの上部４隅部に設けられる溝状の係合穴部１０内に係合部９が挿入されて約９０度回転させることでコンテナに係合できる構成とするものである。
【００２１】
また、ベース枠体部１の各コーナーには、芯出し用ガイド部３が下方に延設される。この芯出し用ガイド部３は下部に向けて末広がり状に形成されるものであり、コンテナ（図示せず）の上部４隅部に対してベース枠体部１がズレタ状態であっても芯出し用ガイド部３によって確実に係合金具２が図４で示すようコンテナの上部４隅部に設けられる溝状の係合穴部１０位置に導かれる構成とするものである。
【００２２】
次に図５に本発明のフォークリフト用空コンテナのコンテナスプレッダー装置の操作ガイド手段の一例を示すものであり、操作ガイド手段Ａはそれぞれの係合金具２の回転軸８にリンク部材１１が水平状に装着されている。そしてベース枠体部１の短辺側の係合金具２のリンク部材１１をロッド部材１２によって連結枢支するものである。従ってロッド部材１２を左右側へ移動させることで係合金具２が約９０度反転することとなる。
【００２３】
そこでベース枠体部１の両短辺側の略中央付近に支持部材１３がそれぞれ立設され、この支持部材１３に操作アーム部１４の中途が連結枢支される。そしてそれぞれの連結枢支との間に連動ロッド４が連結されことにより両者の操作アーム部１４は追従した状態での左右側への回動を可能とするものである。
【００２４】
次に操作アーム部１４の先端はロッド部材１２に連結枢支され、操作アーム部１４の左右方向への回動によって操作アーム部１４は左右側へ移動する構成とするものである。更に操作アーム部１４は、その左右方向へ係合用ガイド片１５および解除用ガイド片１６が直角状に突設されるものであり、そのそれぞれの先端に開口される紐通し穴１７に紐（図示せず）を取り付けて、それぞれの紐を下方に引くことによって操作アーム部１４を左右側へ自在に回動できる構成とするものである。
【００２５】
また、支持部材１３に対して一定間隔を設けて平行状にバネ支持部材１８がベース枠体部１上に立設されるものである。そしてこのバネ支持部材１８と解除用ガイド片１６をバネ部材１９によって引張した状態で連結することにより解除用ガイド片１６が図中Ｂ矢印方向へ常時引っ張られた状態となり、その結果ロッド部材１２の移動によって係合金具２の係合部９がコンテナの上部４隅部に設けられる溝状の係合穴部（図示せず）内に挿入できる位置が保持される構成とするものである。
【００２６】
ここで、コンテナとの係合手段は必ずしも前述した半円板状に形成される係合金具とコンテナ側の係合穴部との係合機構である必要性は無く、コンテナ側の係合穴部の形状又は係合手段によって係合金具の形状や係合機構が確定するものである。
【００２７】
また、操作ガイド手段は必ずしも前述したようにロッド部材、操作アーム部から構成される必要性は無く、コンテナとの係合、あるいはその解除が同時に行える機構のものであればいかなる機構のものであっても構わない。
【００２８】
以上の構成よりなる本発明では図６に示すように、まずフォークリフトの爪２０をベース枠体部１の爪挿入管部５内に挿入する。そしてベース枠体部１をコンテナＣの高さ上部まで持ち上げてコンテナＣの上部４隅におおむね合う位置に移動させる。
【００２９】
次に図７に示すように、ベース枠体部１をコンテナＣ上に降ろすことによって、芯出し用ガイド部３により多少のズレも修正されながらコンテナＣの４隅に設けられる係合穴部１０内に係合金具２の係合部９が挿入される。そして操作アーム部１４の係合用ガイド片１５に結着される紐２１を下方に引っ張ることによってバネ部材１９の付勢力に抗しながら操作アーム部１４が図中Ｄ矢印方向へ回動する、その結果ロッド部材１２が左側へ移動して係合金具２を約９０度反転させて係合穴部１０内に係合すると共に、バネ部材１９によって常時Ｄ矢印方向へ引っ張られる状態となる。
【００３０】
このようにしてベース枠体部１によって係合されたコンテナＣはフォークリフトによって吊り下げられた状態で所定位置まで自在の搬送することが可能となる。また、コンテナの２段重ねも容易に行なえるものである。
【００３１】
そこで図８に示すように、コンテナＣを定位置に載置した状態で操作アーム部１４の解除用ガイド片１６を紐２１によって下方に引っ張ることによってバネ部材１９の付勢力に抗しながら操作アーム部１４が図中Ｂ矢印方向へ回動する、その結果ロッド部材１２が右側へ移動して係合金具２を約９０度反転させて係合穴部１０との係合を解除すると共に、バネ部材１９によって常時Ｂ矢印方向へ引っ張られる状態となる。
【００３２】
本発明ではフォークリフトに取り付けられるコンテナスプレッダー装置によって空コンテナを吊り下げて所定の位置まで自在に移動できると共に、空コンテナの２段重ねにより限られた敷地内でのコンテナの整理整頓が可能となる。
【図面の簡単な説明】
【００３３】
【図１】本発明を適用したフォークリフト用空コンテナのコンテナスプレッダー装置の一例を説明するための正面図を示す。
【図２】図１における平面図を示す。
【図３】図１における側面図を示す。
【図４】本発明を適用したフォークリフト用空コンテナのコンテナスプレッダー装置の係合金具の一例を説明するための部分説明図である。
【図５】本発明を適用したフォークリフト用空コンテナのコンテナスプレッダー装置の操作ガイド手段の一例を説明するための正面説明図である。
【図６】フォークリフトに本発明を適用したフォークリフト用空コンテナのコンテナスプレッダー装置の取り付け状態を示す説明図である。
【図７】本発明を適用したフォークリフト用空コンテナのコンテナスプレッダー装置と空コンテナとの係合状態を示す説明図である。
【図８】本発明を適用したフォークリフト用空コンテナのコンテナスプレッダー装置と空コンテナとの解除状態を示す説明図である。
【図９】従来のコンテナスプレッダー装置によるコンテナの吊上げ形態の一例を示すための説明図である。
【図１０】コンテナスプレッダー装置に芯出し機構を設けた従来の形態を示すための説明図である。
【符号の説明】
【００３４】
１        ベース枠体部
２        係合金具
３        芯出し用ガイド部
４        連動ロッド
５        爪挿入管部
６        補強材
７        補強支柱
８        回転軸
９        係合部
１０      係合穴部
１１      リンク部材
１２      ロッド部材
１３      支持部材
１４      操作アーム部
１５      係合用ガイド片
１６      解除用ガイド片
１７      紐通し穴
１８      バネ支持部材
１９      バネ部材
２０      爪
２１      紐
【図１】
2005162338.tif 000003
【図２】
2005162338.tif 000004
【図３】
2005162338.tif 000005
【図４】
2005162338.tif 000006
【図５】
2005162338.tif 000007
【図６】
2005162338.tif 000008
【図７】
2005162338.tif 000009
【図８】
2005162338.tif 000010
【図９】
2005162338.tif 000011
【図１０】
2005162338.tif 000012